(57)【特許請求の範囲】
【請求項１】
カードの厚み方向である第１方向と前記カードを挿抜可能なコネクタの挿抜方向である第２方向の両方に垂直な第３方向における、前記カードの前記第２方向に平行な第１辺の位置を一方から支持すると共に、前記第２方向における前記カードの位置を可変にする第１ガイドレールと、
前記第３方向における、前記カードの前記第１辺に対向する第２辺の位置を他方から支持すると共に、前記第２方向における前記カードの位置を可変にする第２ガイドレールと、
前記第３方向における前記カードの長さに合わせて、前記第３方向における前記第１ガイドレールと前記第２ガイドレールの間の距離を調節可能な調節手段と
を備え、
前記カードは、前記第１辺にブラケットを有し、
前記第１ガイドレールは、前記第３方向における前記ブラケットの位置を一方から支持すると共に、前記第２方向における前記ブラケットの位置を可変にし、
前記ブラケットの位置を前記第１方向において固定するロックを更に備え、
前記カードの挿抜後に前記ロックを解除して前記カードから撤去可能な治具である
取付機構。
【請求項２】
前記調節手段は、
前記第１ガイドレールに固定され、前記第３方向を長手方向とする第３ガイドレールを備え、
前記第２ガイドレールと前記第３ガイドレールとを前記第３方向において互いに摺動可能且つ摺動途中で固定可能に調節する
請求項１に記載の取付機構。
【請求項３】
前記調節手段は、
前記第２ガイドレールに固定され、前記第３方向を摺動方向とするスライダを更に備え、
前記第３ガイドレールと前記スライダとを前記第３方向において互いに摺動可能且つ摺動途中で固定可能に調節する
請求項２に記載の取付機構。
【請求項４】
前記調節手段は、前記第３ガイドレールと前記スライダの間の、嵌合時の摩擦又はネジ留めによって、前記第３ガイドレールと前記スライダとを前記第３方向において互いに摺動可能且つ摺動途中で固定可能に調節する
請求項３に記載の取付機構。
【発明の詳細な説明】
【技術分野】
【０００１】
本発明は、コネクタにカードを搭載又は取り外す取付機構に関する。
【背景技術】
【０００２】
図５は、本願発明との比較例における取付機構を説明する図である。図５の（Ａ）の部分は、情報処理装置８００のＰＣＩカード２０１を搭載する部分を示す。ここで、ＰＣＩカード２０１を搭載する各ＰＣＩコネクタ３０１は、板状の機構品３２１により区分けされている。各ＰＣＩカード２０１は、ＰＣＩコネクタ３０１に対して、図５における上下方向（Ｚ方向）に挿抜可能である。
【０００３】
ＰＣＩカード２０１等の拡張カードを情報処理装置８００に搭載又は取り外す際、拡張カードの挿入又は抜去の角度によっては、拡張カードに搭載されている部品が情報処理装置８００内の機構品３２１等に接触することによって、拡張カードが破損する恐れがあった（図５の（Ｂ）の部分を参照）。
【０００４】
そのため、拡張カードコネクタにおいて拡張カードを安全に搭載又は取り外すために、作業者の経験とスキルが必要であった。
【０００５】
拡張カードを安全に搭載又は取り外す技術の一例が特許文献１に記載されている。特許文献１の拡張ボードの取付機構では、拡張ボードの上部を覆うガードバーにより、通電状態では、拡張ボードを部品に対する接触からガードする。又、拡張ボードの抜去と連動して当該拡張コネクタへの通電を切る事によって、拡張ボードの抜去を安全にする。但し、本拡張ボードの取付機構では、拡張ボードの抜去と連動して当該拡張コネクタへの通電を切る機構が必要になる。そのため、本技術を既存装置に適用する場合には、既存装置の改造が必要になる。
【０００６】
拡張カードを安全に搭載又は取り外す技術の別の一例が特許文献２に記載されている。特許文献２に記載の回路カード取付システムでは、カードサイズが統一されていない回路カード（ＰＣＩカード等）を、複数の位置決め孔を備えたキャリアに取付けることによって、回路カードの搭載又は取り外しを安全且つ容易に実行できる。但し、本回路カード取付システムを実現するためには、キャリア下部に配置された、回路カードのエッジを受けるガイドブロックの取付け、及びガイドブロックを取り付けるためのマザーボードの位置決め孔が必要になる。そのため、本技術を既存装置に適用する場合には、既存装置の改造が必要になる。
【０００７】
拡張カードを安全に搭載又は取り外す技術の更に別の一例が特許文献３及び４に記載されている。特許文献３又は４に記載の技術では、ＰＣＩカードを横方向からてこの原理を用いて安全且つ容易に搭載及び取り外すことができる。但し、本技術では、上下可動域を確保した機構品が必要になる。そのため、本技術を既存装置に適用する場合には、既存装置の改造が必要になる、
【先行技術文献】
【特許文献】
【０００８】
【特許文献１】特開２００２−１８２７８９号公報
【特許文献２】特開平１１−２７４７６１号公報
【特許文献３】特開２０１１−２４８５６０号公報
【特許文献４】特開２０１１−１００８０３号公報
【発明の概要】
【発明が解決しようとする課題】
【０００９】
特許文献１乃至４に記載の技術では、拡張カードコネクタにおいて拡張カードを安全に搭載及び取り外すためには、既存装置の改造が必要であった。
【００１０】
本発明は、上記の課題に鑑みてなされたもので、既存装置を改造することなく、コネクタにおいてカードを安全に搭載及び取り外すことを主たる目的とする。
【課題を解決するための手段】
【００１１】
本発明の一態様において、カードの厚み方向である第１方向とカードを挿抜可能なコネクタの挿抜方向である第２方向の両方に垂直な第３方向における、カードの第２方向に平行な第１辺の位置を一方から支持すると共に、第２方向におけるカードの位置を可変にする第１ガイドレールと、第３方向における、カードの第１辺に対向する第２辺の位置を他方から支持すると共に、第２方向におけるカードの位置を可変にする第２ガイドレールと、第３方向におけるカードの長さに合わせて、第３方向における第１ガイドレールと第２ガイドレールの間の距離を調節可能な調節手段とを備える。
【発明の効果】
【００１２】
本発明によれば、既存装置を改造することなく、コネクタにおいてカードを安全に搭載及び取り外すことができるという効果がある。
【図面の簡単な説明】
【００１３】
【図１】本発明の第１実施形態における取付機構の構成の一例を示す斜視図である。
【図２】本発明の第２実施形態における取付機構の構成の一例を示す２面図である。
【図３】本発明の第２実施形態における取付機構の動作を説明する２面図である。
【図４】本発明の第２実施形態における取付機構の動作を説明する２面図である。
【図５】比較例における取付機構を説明する図である。
【発明を実施するための形態】
【００１４】
以下、本発明の実施形態について、図面を参照して詳細に説明する。なお、すべての図面において、同等の構成要素には同じ符号を付し、適宜説明を省略する。
（第１実施形態）
本発明の各実施形態の基本である第１実施形態について説明する。
【００１５】
本実施形態における構成について説明する。
【００１６】
図１は、本発明の第１実施形態における取付機構の構成の一例を示す斜視図である。図１以降の図、及び以降の説明において、取付機構が設置される向きは一例であり、実際に取付機構が設置される向きは、任意の向きであってよい。図１以降の図、及び以降の説明において、ある方向から見て、取付機構の、幅（左右）方向を「Ｘ」で示し、奥行き（前後）方向を「Ｙ」で示し、高さ（上下）方向を「Ｚ」で示すこととする。即ち、Ｘ方向、Ｙ方向、Ｚ方向は互いに直交する方向である。Ｘ方向、Ｙ方向、Ｚ方向それぞれにおいて、右方向、奥方向、上方向を「正側」と称し、左方向、手前方向、下方向を「負側」と称することとする。又、以降の説明において、Ｘ方向における正側を「Ｘ＋」側と、Ｘ方向における負側を「Ｘ−」側と、Ｙ方向における正側を「Ｙ＋」側と、Ｙ方向における負側を「Ｙ−」側と、Ｚ方向における正側を「Ｚ＋」側と、Ｚ方向における負側を「Ｚ−」側とも称することとする。
【００１７】
本実施形態における取付機構１００は、カード２００を、カード２００を挿抜可能なコネクタ３００に挿抜する際に一時的に設置され、挿抜後に撤去される治具である。取付機構１００は、ガイドレール１１０（第１ガイドレールの一例）と、ガイドレール１２０（第２ガイドレールの一例）と、調節部１３０とを含む。
【００１８】
ガイドレール１１０は、Ｙ方向（第３方向の一例）における、カード２００のＺ方向（第２方向の一例）に平行な辺２１０（第１辺の一例）を手前方向から支持すると共に、Ｚ方向におけるカード２００の位置を可変にする。ここで、Ｘ方向（第１方向の一例）は、カード２００の厚み方向である。又、Ｚ方向は、カード２００を挿抜可能なコネクタ３００の挿抜方向である。又、Ｙ方向は、Ｘ方向とＺ方向の両方に垂直な方向である。又、カード２００は、例えば、ＰＣＩ（Peripheral Component Interconnect）カード等の拡張カードである。
【００１９】
ガイドレール１２０は、Ｙ方向における、カード２００の辺２１０に対向する辺２２０（第２辺の一例）を奥方向から支持すると共に、Ｚ方向におけるカード２００の位置を可変にする。
【００２０】
調節部１３０は、Ｙ方向におけるカード２００の長さに合わせて、Ｙ方向におけるガイドレール１１０とガイドレール１２０の間の距離を調節可能である。
【００２１】
本実施形態における動作について説明する。
【００２２】
まず、カード２００のＹ方向におけるサイズに合わせた取付機構１００を、コネクタ３００に取り付ける。
【００２３】
次に、ガイドレール１１０にカード２００の辺２１０を合わせ、ガイドレール１２０にカード２００の辺２２０を合わせる。
【００２４】
続いて、ガイドレール１１０及び１２０に沿ってＺ方向にカード２００を挿抜する。
【００２５】
続いて、カード２００の挿抜後に、取付機構１００を撤去する。
【００２６】
この動作により、カード２００に搭載された部品を他の部品に接触させることによって破損させることなく、カード２００をコネクタ３００の挿抜方向（Ｚ方向）に搭載及び取り外しすることができる。
【００２７】
以上説明したように、本実施形態では、カード２００のＹ方向におけるサイズに合わせた取付機構１００が、コネクタ３００（又はコネクタ３００に対して相対位置が固定されている、マザーボード３１０若しくは筐体（不図示）等）に取り付けられる。次に、ガイドレール１１０にカード２００の辺２１０が合わせられ、ガイドレール１２０にカード２００の辺２２０が合わせられる。続いて、カード２００が、ガイドレール１１０及び１２０に沿ってＺ方向に挿抜される。その結果、カード２００をＺ＋側において搭載及び取り外すコネクタ３００の場合、取付機構１００を使用することによって、コネクタ３００を含む既存の装置を改造する必要がない。そして、カード２００に搭載された部品を、他の部品等に接触させることによって破損させずに、安全に搭載及び取り外すことができる。従って、本実施形態の取付機構１００には、既存装置を改造することなく、コネクタにおいてカードを安全に搭載及び取り外すことができるという効果がある。
【００２８】
尚、取付機構１００は、コネクタ３００、基板３１０、又はそれらとの相対的な位置が固定された物（以下、「設置対象」と称す）に設置及び撤去することが可能である。取付機構１００は、設置対象に安定的に設置可能な形状（底面形状等）を有してもよいし、設置対象に固定するための機構（ネジによる固定等）を有してもよい。
【００２９】
又、カード２００は、１辺にブラケットを有してもよい。ブラケットは、例えば、カード２００の各種入出力端子が配置される拡張カードブラケットである。
（第２実施形態）
本発明の第１実施形態を基本とする第２実施形態について説明する。本実施形態では、２つのガイドレール間の距離は、互いに摺動可能な別の１対のガイドレールによって調節される。
【００３０】
本実施形態における構成について説明する。
【００３１】
図２は、本発明の第２実施形態における取付機構の構成の一例を示す２面図である。ここで、図２の（Ａ）の部分は上面図を示し、図２の（Ｂ）の部分は側面図を示す。
【００３２】
本実施形態における取付機構１０１は、１対のガイドレール１１１（第１ガイドレールの一例）と、１対のガイドレール１２１（第２ガイドレールの一例）と、１対のガイドレール１４１（第３ガイドレールの一例）と、１対のスライダ１５１と、ロック１６１と、ロック１６２とを含む。
【００３３】
ガイドレール１１１は、ＰＣＩカード２０１（図３参照）のブラケット３２１（図３参照；Ｙ−側）のＹ方向における位置を決める。
【００３４】
ロック１６２は、ガイドレール１１１にブラケット２３１が嵌合された後に、ガイドレール１１１のブラケット２３１側を固定する。ロック１６２は、例えば、１対のガイドレール１１１間のＸ方向における距離を固定するフックである。
【００３５】
ガイドレール１２１は、ＰＣＩカード２０１の基板端側（Ｙ＋側）の位置を決める。
【００３６】
ロック１６１は、ガイドレール１２１のＹ方向における位置がスライドされて、ＰＣＩカード２０１のＹ方向におけるサイズに合わせられた後、スライダ１５１をガイドレール１４１に固定する。これにより、取付機構１０１は、ＰＣＩカード２０１のサイズ（Ｙ方向における長さ）に合わせられる。ロック１６１は、例えば、ガイドレール１４１に設けられた溝穴にＸ方向に押し付けられることによって、溝穴に固く係合される楔である。ロック１６１と同様な機能は、ガイドレール１４１とスライダ１５１の間の、嵌合時の摩擦によって実現されてもよい。
【００３７】
ガイドレール１４１は、例えば、ガイドレール１１１に直交する方向（Ｙ方向）を長手方向とする長板であり、Ｙ方向を長手方向とする溝穴を有する。
【００３８】
スライダ１５１は、例えば、ガイドレール１１１に直交する方向（Ｙ方向）を長手方向とする長板であり、Ｙ方向に摺動可能に、ガイドレール１４１と溝穴を介して係合する。
【００３９】
本実施形態における他の構成は、第１実施形態における構成と同じである。
【００４０】
本実施形態における動作について説明する。
【００４１】
図３は、本発明の第２実施形態における取付機構の動作を説明する２面図である。ここで、図３の（Ａ）の部分は上面図を示し、図３の（Ｂ）の部分は側面図を示す。図３は、ＰＣＩカード２０１がＰＣＩコネクタ３０１に搭載される直前の状態を示す。
【００４２】
まず、ＰＣＩカード２０１のＹ方向におけるサイズに合わせた取付機構１０１を、情報処理装置４０１のマザーボード３１１に搭載されているＰＣＩコネクタ３０１に取り付ける。ここで、取付機構１０１の固定部３３１は、隣接するスロットのＰＣＩカード２０１を固定するネジ穴に、ネジで固定される。
【００４３】
次に、ガイドレール１１１にＰＣＩカード２０１のブラケット２３１を合わせ、ガイドレール１２１にＰＣＩカード２０１の基板端側（Ｙ−側）を合わせる。
【００４４】
続いて、ガイドレール１１１及び１２１に沿ってＺ方向にＰＣＩカード２０１を挿抜する。
【００４５】
この動作により、ＰＣＩカード２０１に搭載された部品を機構品３２１等に接触させることによって破損させることなく、ＰＣＩカード２０１をＰＣＩコネクタ３０１に垂直に搭載及び取り外しすることができる。
【００４６】
図４は、本発明の第２実施形態における取付機構の動作を説明する２面図である。ここで、図４の（Ａ）の部分は上面図を示し、図４の（Ｂ）の部分は側面図を示す。図４は、ＰＣＩカード２０１がＰＣＩコネクタ３０１に搭載された状態を示す。
【００４７】
図４に示すように、ＰＣＩカード２０１のブラケット２３１は、取付機構１０１のガイドレール１１１に沿って取り付けられている。
【００４８】
又、ロック１６２は、取付機構１０１のブラケット２３１側（Ｙ−側）をＸ方向について固定している。
【００４９】
又、ガイドレール１２１は、ＰＣＩカード２０１の基板端側（Ｙ＋側）をＸ及びＹ方向について固定している。
【００５０】
又、ロック１６１は、Ｙ方向における、ガイドレール１１１とガイドレール１２１の相対位置を、ＰＣＩカード２０１のＹ方向における長さに応じて固定している。
【００５１】
ＰＣＩカード２０１の搭載後、固定部３３１を固定していたネジを外し、ロック１６１及び１６２を解除した後に、取付機構１０１をＺ＋方向へ持ち上げることによって、取付機構１０１を取り外す。即ち、ＰＣＩカード２０１をＰＣＩコネクタ３０１に安全に搭載及び取り外した後、治具である取付機構１０１は撤去される。
【００５２】
本実施形態における他の動作は、第１実施形態における動作と同じである。
【００５３】
以上説明したように、本実施形態では、ＰＣＩカード２０１のＹ方向におけるサイズに合わせられた取付機構１０１が、ＰＣＩコネクタ３０１に対する相対位置が固定された情報処理装置４０１の筐体に取り付けられる。次に、ガイドレール１１１にＰＣＩカード２０１のブラケット２３１が合わせられ、ガイドレール１２１にＰＣＩカード２０１の基板端側（Ｙ＋側）が合わせられる。続いて、ＰＣＩカード２０１が、ガイドレール１１１及び１２１に沿ってＺ方向に挿抜される。その結果、ＰＣＩカード２０１を筐体上方（Ｚ＋側）において搭載及び取り外す情報処理装置４０１の場合、取付機構１０１を使用することによって、情報処理装置４０１を改造する必要がない。そして、ＰＣＩカード２０１に搭載された部品を、機構品３２１等に接触させることによって破損させずに、安全に搭載及び取り外すことができる。従って、本実施形態の取付機構１０１には、既存装置を改造することなく、コネクタにおいてカードを安全に搭載及び取り外すことができるという効果がある。
【００５４】
尚、上述の説明では、取付機構１０１がロック１６２を含む場合について説明した。しかしながら、本実施形態の取付機構１０１では、ロック１６２を含む代わりに、ブラケット２３１がガイドレール１１１のＺ方向にスライド可能であってもよい。
【００５５】
以上、本発明を、上述した各実施形態およびその変形例によって例示的に説明した。しかしながら、本発明の技術的範囲は、上述した各実施形態およびその変形例に記載した範囲に限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、特許請求の範囲に記載した事項から明らかである。
【産業上の利用可能性】
【００５６】
本発明は、サーバ装置全般における、コネクタにおいて拡張カードを搭載及び取り外す用途において利用できる。拡張カードが準拠する規格は、ＰＣＩに限らず、ＰＣＩ  Ｅｘｐｒｅｓｓ、ＡＧＰ（Accelerated Graphics Port）、ＩＳＡ（Industry Standard Architecture）、又は専用規格であってよい。
【符号の説明】
【００５７】
１００、１０１  取付機構
１１０、１１１  ガイドレール
１２０、１２１  ガイドレール
１３０  調節部
１４１  ガイドレール
１５１  スライダ
１６１、１６２  ロック
２００  カード
２０１  ＰＣＩカード
２１０、２２０  辺
２３１  ブラケット
３００  コネクタ
３０１  ＰＣＩコネクタ
３１０、３１１  マザーボード
３２１  機構品
３３１  固定部
４０１、８００  情報処理装置
【図１】
0006950010.tif 000002
【図２】
0006950010.tif 000003
【図３】
0006950010.tif 000004
【図４】
0006950010.tif 000005
【図５】
0006950010.tif 000006